【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
無線通信ネットワークと通信する無線送受信ユニット（ＷＴＲＵ）であって、
メモリと、
前記無線通信ネットワークの少なくとも１つのノードから１つまたは複数の信号を受信するように少なくとも構成された受信機と、
前記１つまたは複数の信号上で１つまたは複数の信号強度測定を実行し、
前記１つまたは複数の信号強度測定と、第１の優先度のデータに対応している第１の閾値との比較を実行し、
前記比較に基づいて前記第１の優先度のデータに対する１つまたは複数の利用可能な送信リソースを決定し、
前記第１の優先度のデータに対する前記１つまたは複数の利用可能な送信リソースから１つまたは複数の第１の優先度送信リソースをランダムに選択し、
前記選択された１つまたは複数の第１の優先度送信リソースに対する１つまたは複数のリソース継続期間を決定し、
前記選択された１つまたは複数の第１の優先度送信リソースに対する１つまたは複数のリソース識別子を決定し、
前記選択された１つまたは複数の第１の優先度送信リソースに対する少なくとも１つのリソース解放表示を決定する
ように少なくとも構成されたプロセッサと、
前記無線通信ネットワークの１つまたは複数の他のノードに、前記１つまたは複数のリソース継続期間、前記１つまたは複数のリソース識別子、または前記少なくとも１つのリソース解放表示の少なくとも１つを送信するように少なくとも構成された送信機と
を備えたことを特徴とするＷＴＲＵ。
【請求項２】
前記受信機は、前記１つまたは複数の信号が１つまたは複数のスケジューリング割り当てを含むようにさらに構成されたことを特徴とする請求項１に記載のＷＴＲＵ。
【請求項３】
前記プロセッサは、前記第１の優先度のデータに対応している前記第１の閾値が予め定められるようにさらに構成されたことを特徴とする請求項１に記載のＷＴＲＵ。
【請求項４】
前記受信機は、無線リソース制御（ＲＲＣ）シグナリングを介して前記第１の優先度のデータに対応している前記第１の閾値を受信するようにさらに構成されたことを特徴とする請求項１に記載のＷＴＲＵ。
【請求項５】
前記送信機は、前記選択された１つまたは複数の第１の優先度送信リソースを使用して前記第１の優先度の前記データを送信するようにさらに構成されたことを特徴とする請求項１に記載のＷＴＲＵ。
【請求項６】
前記少なくとも１つのノードは、ｅｖｏｌｖｅｄノードＢ（ｅＮＢ）または他のＷＴＲＵの少なくとも１つであることを特徴とする請求項１に記載のＷＴＲＵ。
【請求項７】
前記選択された１つまたは複数の第１の優先度送信リソースは、前記１つまたは複数の第１の優先度送信リソースの第１の選択であり、前記プロセッサは、前記第１の優先度のデータに対する前記１つまたは複数の利用可能な送信リソースから前記１つまたは複数の第１の優先度送信リソースの第２の選択をランダムに選択するようにさらに構成され、前記１つまたは複数の第１の優先度送信リソースの前記第２の選択は、前記１つまたは複数の第１の優先度送信リソースの前記第１の選択を置き換えることを特徴とする請求項１に記載のＷＴＲＵ。
【請求項８】
前記プロセッサは、前記第１の優先度のデータに対する前記１つまたは複数の利用可能な送信リソースを１つまたは複数の第１の優先度送信リソースプールに割り当てるようにさらに構成されたことを特徴とする請求項１に記載のＷＴＲＵ。
【請求項９】
前記プロセッサは、前記１つまたは複数の第１の優先度送信リソースが前記１つまたは複数の第１の優先度送信リソースプールからランダムに選択されるようにさらに構成されたことを特徴とする請求項８に記載のＷＴＲＵ。
【請求項１０】
前記プロセッサは、
前記１つまたは複数の信号強度測定と、第２の優先度のデータに対応している第２の閾値との比較を実行し、
前記比較に基づいて前記第２の優先度のデータに対する１つまたは複数の利用可能な送信リソースを決定し、
前記第２の優先度のデータに対する前記１つまたは複数の利用可能な送信リソースから１つまたは複数の第２の優先度送信リソースをランダムに選択し、
前記選択された１つまたは複数の第２の優先度送信リソースに対する１つまたは複数のリソース継続期間を決定し、
前記選択された１つまたは複数の第２の優先度送信リソースに対する１つまたは複数のリソース識別子を決定し、
前記選択された１つまたは複数の第２の優先度送信リソースに対する少なくとも１つのリソース解放表示を決定する
ようにさらに構成されたことを特徴とする請求項１に記載のＷＴＲＵ。
【請求項１１】
前記送信機は、前記選択された１つまたは複数の第２の優先度送信リソースを使用して前記第２の優先度の前記データを送信するようにさらに構成され、前記第１の優先度の前記データは、前記第２の優先度の前記データよりも優先度が高いことを特徴とする請求項１０に記載のＷＴＲＵ。
【請求項１２】
無線通信ネットワークと通信する無線送受信ユニット（ＷＴＲＵ）であって、
メモリと、
第１の優先度のデータに対する利用可能な送信リソースの１つまたは複数のプールから１つまたは複数の第１の優先度送信リソースをランダムに選択し、
前記選択された１つまたは複数の第１の優先度送信リソースに対する１つまたは複数のリソース継続期間を決定し、
前記選択された１つまたは複数の第１の優先度送信リソースに対する１つまたは複数のリソース識別子を決定し、
前記選択された１つまたは複数の第１の優先度送信リソースに対する少なくとも１つのリソース解放表示を決定する
ように少なくとも構成されたプロセッサと、
前記無線通信ネットワークの１つまたは複数の他のノードに、前記１つまたは複数のリソース継続期間、前記１つまたは複数のリソース識別子、または前記少なくとも１つのリソース解放表示の少なくとも１つを送信し、
前記無線通信ネットワークの１つまたは複数の他のノードに、前記選択された１つまたは複数の第１の優先度送信リソースを使用して前記第１の優先度の前記データを送信する
ように少なくとも構成された送信機と
を備えたことを特徴とするＷＴＲＵ。
【請求項１３】
受信機をさらに備え、前記受信機は、前記無線通信ネットワークの少なくとも１つのノードから１つまたは複数の信号を受信するように少なくとも構成され、
前記プロセッサは、
前記１つまたは複数の信号における情報に基づいて前記第１の優先度のデータに対する前記１つまたは複数の利用可能な送信リソースを識別し、
前記１つまたは複数の信号における前記情報に基づいて前記第１の優先度のデータに対する前記１つまたは複数の利用可能な送信リソースを前記第１の優先度のデータに対する利用可能な送信リソースの前記１つまたは複数のプールに割り当てる
ようにさらに構成されたことを特徴とする請求項１２に記載のＷＴＲＵ。
【請求項１４】
前記少なくとも１つのノードは、ｅｖｏｌｖｅｄノードＢ（ｅＮＢ）または他のＷＴＲＵの少なくとも１つであることを特徴とする請求項１２に記載のＷＴＲＵ。
【請求項１５】
前記プロセッサは、
第２の優先度のデータに対する利用可能な送信リソースの１つまたは複数のプールから１つまたは複数の第２の優先度送信リソースをランダムに選択し、
前記選択された１つまたは複数の第２の優先度送信リソースに対する１つまたは複数のリソース継続期間を決定し、
前記選択された１つまたは複数の第２の優先度送信リソースに対する１つまたは複数のリソース識別子を決定し、
前記選択された１つまたは複数の第２の優先度送信リソースに対する少なくとも１つのリソース解放表示を決定する
ようにさらに構成され、前記送信機は、
前記無線通信ネットワークの１つまたは複数の他のノードに、前記選択された１つまたは複数の第２の優先度送信リソースを使用して前記第２の優先度の前記データを送信するようにさらに構成され、前記第１の優先度の前記データは、前記第２の優先度の前記データよりも優先度が高いことを特徴とする請求項１２に記載のＷＴＲＵ。